【手続補正書】
【提出日】平成18年10月31日(2006.10.31)
【手続補正１】
【補正対象書類名】明細書
【補正対象項目名】特許請求の範囲
【補正方法】変更
【補正の内容】
【特許請求の範囲】
【請求項１】  他の印刷装置と接続される印刷装置であって、
外部装置から、印刷処理を実行すべき旨の処理要求を受信する受信手段と、
前記受信手段が前記処理要求を受信したことに応じて、ジョブを生成する生成手段と、
前記生成手段が生成したジョブに基づいて、印刷処理を実行する印刷手段と、
前記生成手段により生成されたジョブに基づく印刷処理を前記印刷手段が実行可能でない場合に、他の印刷装置が保持するジョブの量に関する第１のジョブ量情報を取得する取得手段と、
前記取得手段により取得された前記第１のジョブ量情報に基づいて、前記他の印刷装置に対して前記ジョブを転送するか否かを制御する制御手段と、
を有することを特徴とする印刷装置。
【請求項２】  前記生成手段が生成したジョブを保持する保持手段と、
前記保持手段が保持するジョブの量に関する第２のジョブ量情報に基づき、前記生成手段が生成したジョブに基づく印刷処理を前記印刷手段が実行可能か否かを判定する第１の判定手段を有し、
前記取得手段は、前記第１の判定手段により前記ジョブを実行可能でないと判定された場合に、前記第１のジョブ量情報を取得することを特徴とする請求項１に記載の印刷装置。
【請求項３】  前記取得手段が複数台の前記他の印刷装置から取得した複数の前記第１のジョブ量情報に基づき、前記複数台の他の印刷装置の中に、前記ジョブに基づく印刷処理を実行可能な印刷装置があるか否かを判定する第２の判定手段と、
前記第２の判定手段により前記ジョブに基づく印刷処理を実行可能な印刷装置があると判定された場合、前記ジョブに基づく印刷処理を実行可能な印刷装置の中から、前記ジョブを転送する印刷装置を決定する決定手段を有し、
前記制御手段は、前記決定手段により決定された印刷装置に対して前記ジョブを転送するよう制御することを特徴とする請求項１又は２に記載の印刷装置。
【請求項４】  前記第２の判定手段により前記ジョブに基づく印刷処理を実行可能な印刷装置がないと判定された場合、前記保持手段は、前記印刷処理が実行可能になるまで前記ジョブを保持することを特徴とする請求項２に記載の印刷装置。
【請求項５】  前記第２のジョブ量情報に基づき、前記ジョブに基づく印刷処理を予め定められた速度以上で実行可能であるか否かを判定する第３の判定手段を有し、
前記取得手段は、前記第３の判定手段により前記ジョブに基づく印刷処理を前記予め定められた速度以上で実行可能でないと判定された場合に、他の印刷装置が保持する前記第１のジョブ量情報を取得することを特徴とする請求項２又は４に記載の印刷装置。
【請求項６】  前記第２のジョブ量情報に基づき、前記ジョブに基づく印刷処理の終了時刻を算定する算定手段を有し、
前記第３の判定手段は、前記算定手段により算定された前記ジョブに基づく印刷処理の終了時刻に基づき、前記ジョブに基づく印刷処理を前記予め定められた速度以上で実行可能であるか否かを判定し、
前記取得手段は、前記第３の判定手段により前記ジョブに基づく印刷処理を前記予め定められた速度以上で実行可能でないと判定された場合に、前記第１のジョブ量情報を取得することを特徴とする請求項５に記載の印刷装置。
【請求項７】  前記生成手段により生成されたジョブに基づく印刷処理を前記印刷手段が実行可能でない場合に、複数の前記他の印刷装置のいずれかを選択するための画面を表示する表示手段と、
前記表示手段により前記画面が表示された状態で入力される前記印刷装置の操作者による指示に基づいて、前記複数台の前記他の印刷装置のいずれかを選択する選択手段とを有し、
前記取得手段は、前記選択手段が選択した印刷装置に関する前記第１のジョブ量情報を取得し、
前記表示手段は、前記制御手段が前記選択手段が選択した印刷装置に前記ジョブを転送しない場合に、その旨を表示することを特徴とする請求項１〜６のいずれかに記載の印刷装置。
【請求項８】  他の印刷装置と接続される印刷装置であって、
外部装置から、印刷処理を実行すべき旨の処理要求を受信する受信手段と、
前記受信手段が前記処理要求を受信したことに応じて、ジョブを生成する生成手段と、
前記生成手段が生成したジョブに基づいて、印刷処理を実行する印刷手段と、
前記生成手段により生成されたジョブに基づく印刷処理を前記印刷手段が実行可能でない場合に、他の印刷装置の印刷性能に関する第１の印刷性能情報を取得する第１の取得手段と、
前記第１の取得手段により取得された前記第１の印刷性能情報に基づき、前記他の印刷装置に対して前記ジョブを転送するか否かを制御する制御手段と、
を有することを特徴とする印刷装置。
【請求項９】  前記外部装置は、印刷処理を実行する印刷部を有する印刷装置であり、
前記処理要求を送信した前記外部装置の印刷性能に関する第２の印刷性能情報を取得する第２の取得手段と、
前記第２の取得手段により取得された前記第２の印刷性能情報に基づき、前記ジョブに基づく印刷処理を予め定められた速度以上で実行可能であるか否かを判定する第１の判定手段をさらに有し、
前記第１の取得手段は、前記第１の判定手段により前記ジョブに基づく印刷処理を前記予め定められた速度以上で実行可能でないと判定された場合に、前記第１の印刷性能情報を取得することを特徴とする請求項８に記載の印刷装置。
【請求項１０】  前記第１の取得手段が複数台の前記他の印刷装置から取得した複数の前記第１の印刷性能情報に基づき、前記複数台の他の印刷装置の中に、前記ジョブに基づく印刷処理を実行可能な印刷装置があるか否かを判定する第２の判定手段と、
前記第２の判定手段により前記ジョブに基づく印刷処理を実行可能な印刷装置があると判定された場合、前記ジョブに基づく印刷処理を実行可能な印刷装置の中から、前記ジョブを転送する印刷装置を決定する決定手段を有し、
前記制御手段は、前記決定手段により決定された印刷装置に対して前記ジョブを転送するよう制御することを特徴とする請求項８又は９に記載の印刷装置。
【請求項１１】  前記第２の判定手段により前記ジョブに基づく印刷処理を実行可能な印刷装置がないと判定された場合、前記印刷処理が実行可能になるまで前記ジョブを保持する保持手段を有することを特徴とする請求項９に記載の画像出力装置。
【請求項１２】  前記印刷性能情報は、印刷装置が印刷処理を実行する際の印刷速度に関する情報であることを特徴とする請求項８〜１１のいずれかに記載の印刷装置。
【請求項１３】  前記ジョブ量情報は、前記他の印刷装置が保持するジョブ数に関する情報、前記他の印刷装置が保持するジョブのデータ量に関する情報、又は前記他の印刷装置が保持するジョブのページ数に関する情報の少なくともいずれかであることを特徴とする請求項１〜７のいずれかに記載の印刷装置。
【請求項１４】  前記外部装置は、原稿を読み取ることにより画像データを入力する画像入力手段を有し、
前記処理要求は、前記画像入力手段により入力された画像データに基づく印刷処理を実行すべき旨の要求であることを特徴とする請求項１〜１３のいずれかに記載の印刷装置。
【請求項１５】  他の印刷装置と接続される印刷装置の制御方法であって、
外部装置から、印刷処理を実行すべき旨の処理要求を受信する受信工程と、
前記受信工程が前記処理要求を受信したことに応じて、ジョブを生成する生成工程と、
前記生成工程により生成されたジョブに基づく印刷処理を実行可能でない場合に、他の印刷装置が保持するジョブの量に関するジョブ量情報を取得する取得工程と、
前記取得工程により取得された前記ジョブ量情報に基づいて、前記他の印刷装置に対して前記ジョブを転送するか否かを制御する制御工程と、
を有することを特徴とする印刷装置の制御方法。
【請求項１６】  他の印刷装置と接続される印刷装置の制御方法であって、
外部装置から、印刷処理を実行すべき旨の処理要求を受信する受信工程と、
前記受信工程が前記処理要求を受信したことに応じて、ジョブを生成する生成工程と、
前記生成工程により生成されたジョブに基づく印刷処理を実行可能でない場合に、他の印刷装置の印刷性能に関する印刷性能情報を取得する取得工程と、
前記取得工程により取得された前記第１の印刷性能情報に基づき、前記他の印刷装置に対して前記ジョブを転送するか否かを制御する制御工程と、
を有することを特徴とする印刷装置の制御方法。
【手続補正２】
【補正対象書類名】明細書
【補正対象項目名】００１０
【補正方法】変更
【補正の内容】
【００１０】
【課題を解決するための手段】
上記目的を達成するために、本発明の印刷装置は、他の印刷装置と接続される印刷装置であって、外部装置から、印刷処理を実行すべき旨の処理要求を受信する受信手段と、前記受信手段が前記処理要求を受信したことに応じて、ジョブを生成する生成手段と、前記生成手段が生成したジョブに基づいて、印刷処理を実行する印刷手段と、前記生成手段により生成されたジョブに基づく印刷処理を前記印刷手段が実行可能でない場合に、他の印刷装置が保持するジョブの量に関する第１のジョブ量情報を取得する取得手段と、前記取得手段により取得された前記第１のジョブ量情報に基づいて、前記他の印刷装置に対して前記ジョブを転送するか否かを制御する制御手段とを有することを特徴とする。
【手続補正３】
【補正対象書類名】明細書
【補正対象項目名】００１１
【補正方法】変更
【補正の内容】
【００１１】
また、本発明の印刷装置は、他の印刷装置と接続される印刷装置であって、外部装置から、印刷処理を実行すべき旨の処理要求を受信する受信手段と、前記受信手段が前記処理要求を受信したことに応じて、ジョブを生成する生成手段と、前記生成手段が生成したジョブに基づいて、印刷処理を実行する印刷手段と、前記生成手段により生成されたジョブに基づく印刷処理を前記印刷手段が実行可能でない場合に、他の印刷装置の印刷性能に関する第１の印刷性能情報を取得する第１の取得手段と、前記第１の取得手段により取得された前記第１の印刷性能情報に基づき、前記他の印刷装置に対して前記ジョブを転送するか否かを制御する制御手段とを有することを特徴とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
また、本発明の印刷装置の制御方法は、他の印刷装置と接続される印刷装置の制御方法であって、外部装置から、印刷処理を実行すべき旨の処理要求を受信する受信工程と、前記受信工程が前記処理要求を受信したことに応じて、ジョブを生成する生成工程と、前記生成工程により生成されたジョブに基づく印刷処理を実行可能でない場合に、他の印刷装置が保持するジョブの量に関するジョブ量情報を取得する取得工程と、前記取得工程により取得された前記ジョブ量情報に基づいて、前記他の印刷装置に対して前記ジョブを転送するか否かを制御する制御工程と、を有することを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
また、本発明の印刷装置の制御方法は、他の印刷装置と接続される印刷装置の制御方法であって、外部装置から、印刷処理を実行すべき旨の処理要求を受信する受信工程と、前記受信工程が前記処理要求を受信したことに応じて、ジョブを生成する生成工程と、前記生成工程により生成されたジョブに基づく印刷処理を実行可能でない場合に、他の印刷装置の印刷性能に関する印刷性能情報を取得する取得工程と、前記取得工程により取得された前記第１の印刷性能情報に基づき、前記他の印刷装置に対して前記ジョブを転送するか否かを制御する制御工程とを有することを特徴とする。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】０２１５
【補正方法】変更
【補正の内容】
【０２１５】
【発明の効果】
以上説明してきたように、本発明によれば、ジョブに基づく印刷処理を実行できない場合に他の印刷装置が保持するジョブの量に基づいて、他の印刷装置にジョブを転送するか否かを制御するので、ジョブに基づく印刷処理を実行できない場合であっても他の印刷装置に適切に印刷処理を実行させることができる。
【手続補正１５】
【補正対象書類名】明細書
【補正対象項目名】０２１６
【補正方法】変更
【補正の内容】
【０２１６】
また、本発明によれば、ジョブに基づく印刷処理を実行できない場合に他の印刷装置の印刷性能に関する印刷性能情報に基づいて、他の印刷装置にジョブを転送するか否かを制御するので、ジョブに基づく印刷処理を実行できない場合であっても他の印刷装置に適切に印刷処理を実行させることができる。
【手続補正１６】
【補正対象書類名】明細書
【補正対象項目名】０２１７
【補正方法】削除
【補正の内容】